(57)【要約】【課題】  遊技機の解錠装置は、製造会社や機種によって異なるキーが使用されているので、設置する遊技機はホール毎にキーを統一させるため解錠装置を総替えしているが、解錠装置には長さの異なるものが混在し、複数の異なる長さの解錠装置が必要になる。【解決手段】  筒状ケースにモータ１ａを内蔵した電動式解錠装置であって、前記筒状ケースは、トップケース１を、連結軸３ａが内蔵されたジョイントケース３を介してボトムケース２と連結する三分割構造とし、交換用として、長さの異なるジョイントケース３，３’、３’’を複数本用意する。【選択図】    図１
2006000624.tif 000002
【特許請求の範囲】
【請求項１】
筒状のフランジ付きケース内にモータを内蔵し、そのモータにより爪付きカムを回動可能とした電動式遊技機用解錠装置であって、前記モータが、回転軸の回転角度を検知する検知手段の信号に基づいて可変制御される電動式遊技機用解錠装置。
【請求項２】
筒状のフランジ付きケースが、モータが内蔵された筒状のトップケースと、同径の筒状で、回動軸が内蔵されたフランジ付きのボトムケースと、同じく同径の筒状で、連結軸を内蔵し、前記トップケースとボトムケースとの間に介在させるジョイントケースとからなり、前記ジョイントケースを長さの異なるジョイントケースと交換することにより全長を変更可能とした請求項１に記載の電動式遊技機用解錠装置。
【請求項３】
筒状のフランジ付きケースが、モータが内蔵された筒状のトップケースと、同径の筒状で、回動軸が内蔵されたフランジ付きボトムケースと、同じく同径の筒状で、連結軸を内蔵し、前記トップケースとボトムケースとの間に介在させるジョイントケースとからなり、前記ジョイントケースを回動軸と一緒に長さ調整可能とした請求項１に記載の電動式遊技機用解錠装置。
【請求項４】
トップケースとボトムケースとの相互間、及び、ジョイントケースとボトムケースとの相互間には、それぞれ回転方向に対する位置決め手段が設けられ、ジョイントケースには、片端にトップケース内のモータに電力を供給する入力端子と電気的接続可能な接触端子が、又他端に、ボトムケース内より供給される電力の出力端子と電気的接続可能な接触端子を備え、それらの接触端子同士がリード線で接続されている請求項２又は３に記載の電動式遊技機用解錠装置。
【請求項５】
筒状のフランジ付きケースが、先端が閉塞された筒状のトップケースと、同径の筒状で、回動軸が内蔵されたフランジ付きボトムケースと、同じく同径で、モータを内蔵し、前記トップケースとボトムケースとの間に介在させるジョイントケースとからなり、トップケースを長さの異なるトップケースと交換することにより全長を変更可能とした請求項１に記載の電動式遊技機用解錠装置。
【請求項６】
筒状のフランジ付きケースが、先端が閉塞された筒状のトップケースと、同径の筒状で、回動軸が内蔵されたフランジ付きボトムケースと、同じく同径で、モータを内蔵し、前記トップケースとボトムケースとの間に介在させるジョイントケースとからなり、前記トップケースを長さ調整可能とした請求項１に記載の電動式遊技機用解錠装置。
【請求項７】
ジョイントケースとボトムケースとの相互間に、回転方向に対する位置決め手段が設けられ、ジョイントケースの片端には、モータに電力を供給する入力端子と電気的接続可能な接触端子が、又ボトムケースには、供給される電力の出力端子が設けられている請求項５又は６に記載の電動式遊技機用解錠装置。
【請求項８】
標準装備されている手動式の遊技機用解錠装置と交換することを目的としていて、回動軸には、前記手動式の遊技機用解錠装置に取り付けられている爪付きカムを取り外し、その取り外した爪付きカムを取り付ける請求項１〜７のいずれかに記載した電動式遊技機用解錠装置。    
【発明の詳細な説明】
【技術分野】
【０００１】
本発明は、スロットマシン、パチスロ機、パチンコ機などの遊技機に装備されている施錠機構のロックを解除する解錠装置に関する。
【背景技術】
【０００２】
遊技機には、不正操作を防止するため片開き可能に取り付けられているガラス窓や枠体をロックする施錠機構と、必要に応じて鍵穴にキーを差し込み、爪付きカムを回動操作することによってスライドバーを上げ下げして前記施錠機構のロックを解除する例えば特許文献１に記載されている手動式の解錠装置とが標準装備されている。
ホール内には多種多様の遊技機が設置されており、それれらの遊技機に標準装備されている前記手動式の解錠装置は基本構造は共通していても、使用されるキーは製造会社や機種ごとに異なっている。
従って、標準装備されている手動式の解錠装置をそのまま使用するとなると、スタッフは遊技機の種類に相当する数のキーを携帯していなくてはならないし、いざ解錠操作しようとする段階になって、適合するキーを選び出すのに手間取ってしまう。
そこで新規開店のみならず台を入れ替えする際にも、基台に貫設された穴に嵌め込まれている標準装備の手動式解錠装置を、筒状ケースごと抜き外し、特定のキーで操作可能な解錠装置と交換し、キーの統一を図るのが慣例となっている。
なお、従来において、この解錠装置の交換作業を簡略化する技術として、例えば特許文献２に記載のように、錠前部分のみを交換する解錠装置も知られている。
【０００３】
【特許文献１】特開２０００−２７１３２２号公報
【特許文献２】実開平５−８８５８４号公報
【発明の開示】
【発明が解決しようとする課題】
【０００４】
近年、ホールで働くスタッフの作業を軽減すべく、キーを鍵穴に差し込んで回動操作しなくても、リモコンスイッチ一つで解錠可能な電動式の解錠装置が開発された。
電動式解錠装置は、ソレノイドやモータによってワイヤを引っ張り、そのワイヤを介してロックを解除するものや、筒状のケースにモータを内蔵し、そのモータの回転軸に取り付けた爪付きカムでロックを解除するものなど各種提案されているが、中でもモータを内蔵した電動式解錠装置は、前記キーの統一を図る際に、標準装備されている手動式解錠装置と交換すれば、キーの電動化も達成できるので一石二鳥である。
ところがこれまでのモータを内蔵したタイプでは、回転軸（モータ）の回転方向と回転角度とが、例えば右は３２度、左は２９度といったように予め一方的に決められていて変更できないため、解錠装置が製造会社や機種ごとに異なる施錠機構に対しては、電動式解錠装置の爪付きカムを異なる機種毎に作成する必要があった。
【０００５】
又、遊技機には、盤面のみならずその周囲にも目を惹く装飾が施されており、特にパチスロ機ではボディの出っ張りが顕著であるので、図６に示すように、パチスロ機２３の側縁に取り付けられる解錠装置２４は、ボディ側縁部２３ａの出っ張り具合によって長さが異なる。
交換した解錠装置が長すぎれば、鍵穴部分が突出して邪魔になるし、短かければ鍵穴が奥に引っ込んでキーを差し込むことができず解錠操作不能になってしまう。
そのため交換用の解錠装置は、穴の外形みならず長さの異なるバリエーションを揃えなくてはならない問題がある。
交換用の解錠装置が、標準装備の解錠装置より短かければ、交換しても解錠操作には何ら支障はないが、寸足らずのため、穴の口が空いてしまい、盲蓋などで塞ぐ必要はある。
盲蓋で塞いてしまえが体裁は整うが、負けた腹いせや興味本位の悪戯により外されやすく、穴の中に吸い殻などの異物が挿入されるなど好ましくない。
よって電動式解錠装置は、寸法の合致したものと交換することも必要である。
【課題を解決するための手段】
【０００６】
本発明は、交換用として好適な電動式解錠装置であって、その構成は、筒状のフランジ付きケース内にモータを内蔵し、そのモータにより爪付きカムを回動可能とした電動式遊技機用解錠装置であって、前記モータが、回転軸の回転角度を検知する検知手段の信号に基づいて可変制御されることにある。
前記筒状のフランジ付きケースは、モータが内蔵された筒状のトップケースと、同径の筒状で、回動軸が内蔵されたフランジ付きのボトムケースと、同じく同径の筒状で、連結軸を内蔵し、前記トップケースとボトムケースとの間に介在させるジョイントケースとからなり、前記ジョイントケースを長さの異なるジョイントケースと交換することにより全長を変更可能としたり、同径の筒状で、回動軸が内蔵されたフランジ付きボトムケースと、同じく同径の筒状で、連結軸を内蔵し、前記トップケースとボトムケースとの間に介在させるジョイントケースとからなり、長さの異なるジョイントケースと交換することにより全長を変更可能とするか、ジョイントケースを回動軸と一緒に長さ調整可能としたり、先端が閉塞された筒状のトップケースと、同径の筒状で、回動軸が内蔵されたフランジ付きボトムケースと、同じく同径で、モータを内蔵し、前記トップケースとボトムケースとの間に介在させるジョイントケースとからなり、前記トップケースは、交換用に長さの異なる複数本を用意するか、長さ調整可能とすることができる。
【０００７】
前記モータがジョイントケースに内蔵された前者のタイプでは、トップケースとボトムケースとの相互間、及び、ジョイントケースとボトムケースとの相互間に、それぞれ回転方向に対する位置決め手段が設けられ、ジョイントケースには、片端にトップケース内のモータに電力を供給する入力端子と電気的接続可能な接触端子が、又他端に、ボトムケース内より供給される電力の出力端子と電気的接続可能な接触端子を備え、それらの接触端子同士がリード線で接続することができ、ジョイントケースにモータが内蔵されているタイプでは、ジョイントケースとボトムケースとの相互間に、回転方向に対する位置決め手段を設け、ジョイントケースの片端には、モータに電力を供給する入力端子と電気的接続可能な接触端子を、又ボトムケースには、供給される電力の出力端子を設けることができる。
【０００８】
又、標準装備されている手動式の遊技機用解錠装置と交換することを目的としたものにあっては、回動軸に、前記手動式の遊技機用解錠装置に取り付けられている爪付きカムを取り外し、その取り外した爪付きカムを取り付けることができる。
尚本発明において筒状のケースとは、筒体の両脇に副室が付設された形状を含む。
【発明の効果】
【０００９】
新規開店で設置する際、標準装備されている手動式解錠装置と交換するだけで、キーの電動化を達成することができる
そして、筒状のフランジ付きケースを三分割構造とし、組み合わせるジョイントケース又はトップケースのみの長さを選択又は調整可能とすれば、ボディ側縁部の出っ張り具合が異なる機種に対しトップケースやジョイントケースのみを交換又は調整することにより、適合する長さに変更することができる。
又、新台入れ替えの際、長さを変更する必要がある場合には、トップケースやジョイントケースの交換又は調整のみで済むので、モータを含む大半の部材を再利用でき、解錠装置一式が無駄になることはない。
【００１０】
又、各ケース相互間に、回転方向に対する位置決め手段と、電力の出力端子と電気的接続可能な接触端子と、モータに電力を供給する入力端子と電気的接続可能な接触端子を設ければ、組み付けを迅速且つ高精度で行える。
更に、爪付きカムを標準装備の手動式解錠装置から移し替えるようにすれば、機種毎に適合する新た爪付きカムを製造したり、チューニングなどが不要になる。
【発明を実施するための最良の形態】
【００１１】
本発明に係る遊技機用解錠装置を図面に基づいて説明する。
図１は解錠装置を示したもので、この解錠装置は、通称シリンダ錠と称されている既存の手動式解錠装置と同径であって、三分割されたフランジ付き筒状体で、モータ１ａが内蔵された筒状のトップケース１と、回動軸２ａが内蔵されたボトムケース２と、連結軸３ａを内蔵したジョイントケース３との三分割構造になっており、前記ジョイントケース３は、交換用に長さの異なるジョイントケース３’、３’’が複数本用意されている。
トップケース１の先端は合成樹脂の蓋で閉塞されており、前記モータ１ａは後部をその閉塞先端側に向けて内蔵されていて、モータ１ａの回転軸先端には、中央を凹溝が横断した形状のカップリング４が形成されている。
ボトムケース２は、基端部に三角形状のフランジ５が一体的に設けられていて、回動軸２ａは軸受け（図示せず）にて支持され、基端側に突出した回動軸端部には、標準装備されていた手動式解錠装置から取り外した爪付きカム６が取り付け可能になっており、反対側の端部には対向する側面を平坦に削り取り、前記カップリング４の凹溝に対応する形状のカップリング７が形成されている。
ジョイントケース３は、トップケース１とボトムケース２との間に介在されるもので、連結軸３ａは軸受け３ｂ，（３ｂ）により両端が支持されており、端縁にはそれぞれ前記カップリング４、７と同様のカップリング４，７が形成されている。
【００１２】
トップケース１には、ジョイントケース３が連結される側にジョイントケースの厚み相当分だけ小径の段部８が形成されており、その段部８にジョイントケース３の端部を嵌め込んで、ジョイントケース３とトップケース１に形成された位置決め穴９ａ、９ｂが互いに合致するよう回転方向に対する位置決めを行い、それら位置決め穴にピン９，９・・を打ち込めば、抜け止め機能と回り止め機能とが同時に実行される。
ボトムケース２とジョイントケース３も、同様にして連結する。
各ケース１，２，３の相互間にはそれぞれ端子１０，１１が設けられていて、ケース１，２，３を組み合わせることによって、ボトムケース２内に導入されたリード線１２とトップケース１内のモータ１ａとは、ジョイントケース３を介して電気的に接続され、前記モータ１ａの回転軸（カップリング４）の回転角度を検知する検知手段の信号に基づいて、図示しないコントローラによって可変制御される。
【００１３】
前記可変制御とは、下記のような態様が含まれる。
１，回転軸に取り付けたタイミングカムの形状変更により、回転軸の回転角度検知位置を設定変更する。
このようにすれば、タイミングカムの交換にて対応できる。
２．コントローラのプログラムを一部書き換えることにより、パルスのカウント数を設定変更する。
このようにすれば、プログラムの書き換えのみで対応できる。
３．タイマーにより遅延動作するよう設定変更する。
このようにすれば、タイマ設定値の調整で対応できる。
【００１４】
上記構成の解錠装置は、図２に示すように、組み付けるジョイントケース３、３’，３’’の長さによって全長が変化するので、組み付けるジョイントケース３、３’，３’’の選択のみで、所望長さの解錠装置を容易に形成できる。
よって新規開店の際には、機種ごとに解錠装置の長さがまちまちであっても、複数長さのバリエーションを効率よく調達することができる。
又、新台入れ替えの際は、長さが足りなかったり長すぎる場合は、ピンを抜いてジョイントケースを外し、全長が所望長さになる別のジョイントケースと交換すれば対応できる。
【００１５】
本発明の電動式解錠装置は、コントローラで装着された機種に対応するようモータが可変制御されるから、標準装備されていた手動式の解錠装置から取り外して付け替えた爪付きカムでスライドプレートを移動せしめ、ガラス窓や枠体のロックを外すことができる。
【００１６】
前記実施例はジョイントケースを交換して異なる長さに対応させるタイプであるが、ジョイントケースを伸縮タイプとすることによっても対応できる。
次にその変更実施例を説明する。
図３は、長さが調整可能なジョイントケース１３であって、このジョイントケース１３は内筒１３ａと外筒１３ｂとが互いに軸方向へスライド自在な二重構造で、連結軸１４はスプライン結合により伸縮可能となっている。
このようなジョイントケース１３を使用すれば、内筒１３ａと外筒１３ｂとを互いにスライドさせてジョイントケース１３の長さを調整することにより、如何なるサイズにも変更できる。
【００１７】
又、これらの実施例はいずれも解錠装置の全長をジョイントケースの長さに依存させたものであるが、全長をトップケースの長さに依存させることもできる。
次にその変更実施例を説明する。
図４において、トップケース１５は内部は空洞で、先端は閉塞されており、長さの異なる複数本のジョイントケース１５，１５’，１５’’が用意されている。
モータ１６ａはジョイントケース１６内に組み込まれており、ジョイントケース１６の両端部をそれぞれトップケース１５とボトムケース１７の各端縁段部１８，１９に嵌め込み、ピン１９、１９にて固定することよって連結される。
【００１８】
更に、このようなモータをジョイントケースに組み込んだタイプにあっては、例えば図５に示すように、トップケース２０を内ネジ２１付きのアウターケース２０ａと外ネジ２２付きのインナーケース２０ｂとで構成し、インナーケース２０ｂのネジ込み深さによって長さ調整可能な構造を採用できる。
その場合、トップケースにはモータや電気的な配線を内蔵する必要がないので、前記ジョイントケースに比べて伸縮構造が簡略化される利点があり、伸縮構造はネジを省略した押し込み式、その他多段式など自由に選択できる。
【００１９】
いずれの実施例も、ジョイントケースかトップケースのいずれかを交換又は長さを調整することにより全長を変更できるので、新規開店では長さの異なる解錠装置の調達が容易となり、新台入れ替えの際に寸法が合わなければ一部を交換又は調整することにより対応できるので、ランニングコストが削減される。
【００２０】
トップケース内には、ＣＣＤカメラ、ＬＥＤランプなどを組み込んだり、ボトムケースとジョイントケース、或いはボトムケースとジョイントケース及びトップケースとを、分離不可能に一体形成したり、逆にジョイントケースやトップケースを複数に分割することもできる。
尚、この解錠装置は、パチスロ機以外の遊技機にも適用され、又、呼び出しランプとコントローラを共有するよう合体させることもできる。
【００２１】
本発明の電動式解錠装置は、モータを回転させることにより、手動操作と同様に、爪付きカムでスライドプレートを移動せしめ、ガラス窓や枠体のロックを外すことができる。
そして回転軸の中立位置や回転角度は、回転軸にタイミングカムを設け、そのタイミングカムのカム形状をリミットスイッチのような接触式センサや、磁気、光学を利用した非接触式センサにて検知したり、爪付きカムと施錠機構との係止状態を変動する電流や電圧の負荷値から読み取ったり、モータのパルス数をエンコーダにてカウントするなど、各種の方法によって検知することができる。
【図面の簡単な説明】
【００２２】
【図１】本発明に係る解錠装置の説明図である。
【図２】長さの異なるジョイントケースと組み合わせた説明図である。
【図３】変更例の説明図である。
【図４】変更例の説明図である。
【図５】変更例の説明図である。
【図６】パチスロ機の説明図である。
【符号の説明】
【００２３】
１・・トップケース、１ａ・・モータ、２・・ボトムケース、３、３’，３’’・・ジョイントケース、３ｂ・・軸受け、４・・カップリング、５・・フランジ、６・・爪付きカム、、７・・カップリング、８・・段部、９・・ピン、９ａ，９ｂ・・位置決め穴、１０、１１・・端子、１２・・リード線、１３・・ジョイントケース、１３ａ・・内筒、１３ｂ・・外筒１４・・連結軸、１５、１５’，１５’’・・トップケース、１６・・ジョイントケース、１７・・ボトムケース、１８、１９・・段部、２０・・トップケース、２０ａ・・アウターケース、２２・・インナーケース、２１・・内ネジ、２２・・外ネジ、２３・・パチスロ機、２３ａ・・ボディ側縁部、２４・・解錠装置。
【図１】
2006000624.tif 000003
【図２】
2006000624.tif 000004
【図３】
2006000624.tif 000005
【図４】
2006000624.tif 000006
【図５】
2006000624.tif 000007
【図６】
2006000624.tif 000008